(57)【要約】【課題】一旦電源キーを押下しても、ジョブを再開させることが可能な画像処理装置を提供する。【解決手段】紙から読み取った画像データを出力する、または受信した画像データを紙へ出力する出力手段と、電源オフの指示を検知する検知手段と、検知手段が電源オフの指示を検知した場合に、次の紙である後続紙の搬送を停止し、後続紙よりも前に搬送された紙である先行紙の搬送を完了させる搬送手段と、電源オフの指示がキャンセルされたか否かを判断する判断手段と、判断手段が前記電源オフの指示がキャンセルされたと判断した場合は、搬送手段に後続紙の搬送を再開させることにより後続紙からの読み取りまたは後続紙への出力を再開し、判断手段が前記電源オフの指示がキャンセルされていないと判断した場合は、先行紙の搬送を完了させた後に電源をオフする制御を行う制御手段とを備える。【選択図】        図６
2013157840.tif 000002
【特許請求の範囲】
【請求項１】
紙から読み取った画像データを出力する、または受信した画像データを紙へ出力する出力手段と、
電源オフの指示を検知する検知手段と、
前記検知手段が電源オフの指示を検知した場合に、次の紙である後続紙の搬送を停止し、当該後続紙よりも前に搬送された紙である先行紙の搬送を完了させる搬送手段と、
前記電源オフの指示がキャンセルされたか否かを判断する判断手段と、
前記判断手段が前記電源オフの指示がキャンセルされたと判断した場合は、前記搬送手段に後続紙の搬送を再開させることにより後続紙からの読み取りまたは後続紙への出力を再開し、前記判断手段が前記電源オフの指示がキャンセルされていないと判断した場合は、先行紙の搬送を完了させた後に電源をオフする制御を行う制御手段と
を備える画像処理装置。
【請求項２】
請求項１に記載の画像処理装置において、
前記判断手段は、前記検知手段が検知した電源オフの指示が規定時間継続しなかった場合は、前記電源オフの指示がキャンセルされたと判断し、前記検知手段が検知した電源オフの指示が規定時間継続した場合は、前記電源オフの指示がキャンセルされていないと判断する、ことを特徴とする画像処理装置。
【請求項３】
請求項１または請求項２に記載の画像処理装置において、
前記判断手段は、前記搬送手段が先行紙の搬送を完了させた後に、前記検知手段が電源オフの指示を検知しない場合は、前記電源オフの指示がキャンセルされたと判断し、前記搬送手段が先行紙の搬送を完了させた後に、前記検知手段が電源オフの指示を検知した場合は、前記電源オフの指示がキャンセルされていないと判断する、ことを特徴とする画像処理装置。
【請求項４】
請求項１から３のいずれかに記載の画像処理装置において、
前記制御手段は、前記検知手段が電源オフの指示を検知した際に、搬送停止対象となる後続紙がない場合は、先行紙の搬送を完了させた後に電源をオフする、ことを特徴とする画像処理装置。
【請求項５】
請求項１から４のいずれかに記載の画像処理装置において、
前記出力手段は、受信した画像データの紙への出力を行い、
出力が未完了の画像データがある場合は、電源オフの指示がキャンセルされた際に、出力が未完了の画像データから再び出力する、ことを特徴とする画像処理装置。
【請求項６】
請求項５に記載の画像処理装置において、
前記出力手段は、
紙の第１面と第２面の両面に対して画像データの出力を行い、かつ、
先行紙の第１面に対して画像データを出力した状態で搬送を完了した後、電源オフの指示がキャンセルされた際は、先行紙の第１面に出力した画像データから出力する、ことを特徴とする画像処理装置。
【発明の詳細な説明】
【技術分野】
【０００１】
本発明は、画像処理装置に関する。さらに詳細には、電源キー押下により電源オフを指示することが可能な画像処理装置に関するものである。
【背景技術】
【０００２】
従来、電源キー押下によって電源をオフする処理を行い、画像処理装置の一部に対する電力供給を遮断することが広く行われている。
【先行技術文献】
【特許文献】
【０００３】
【特許文献１】特開２０１０−１２０３２２
【発明の概要】
【発明が解決しようとする課題】
【０００４】
従来、ジョブの実行中に電源キーの押下により電源オフを指示されることがあり、その場合には紙の搬送を止める必要があった。しかしながら、電源キーの押下により一旦紙の搬送を止めてしまうと、電源オフをキャンセルしてもそのジョブは途中で終了してしまうという問題があった。その場合、ジョブを完了させるには始めから再度ジョブを実行する必要があり、不便であった。
【０００５】
本発明は、上述した問題点を解決するためになされたものであり、一旦電源キーを押下しても、ジョブを再開させることが可能な画像処理装置を提供することを目的とする。
【課題を解決するための手段】
【０００６】
この目的を達成するために、第１の発明に係る画像処理装置は、紙から読み取った画像データを出力する、または受信した画像データを紙へ出力する出力手段と、電源オフの指示を検知する検知手段と、前記検知手段が電源オフの指示を検知した場合に、次の紙である後続紙の搬送を停止し、当該後続紙よりも前に搬送された紙である先行紙の搬送を完了させる搬送手段と、前記電源オフの指示がキャンセルされたか否かを判断する判断手段と、前記判断手段が前記電源オフの指示がキャンセルされたと判断した場合は、前記搬送手段に後続紙の搬送を再開させることにより後続紙からの読み取りまたは後続紙への出力を再開し、前記判断手段が前記電源オフの指示がキャンセルされていないと判断した場合は、先行紙の搬送を完了させた後に電源をオフする制御を行う制御手段とを備える。
【０００７】
第１の発明によれば、電源オフが指示された際に後続紙の搬送を停止し、先行紙の搬送を完了させ、電源オフの指示がキャンセルされた場合は、後続紙の搬送を再開して後続紙からの読み取りまたは後続紙への出力を再開することができ、電源オフの指示がキャンセルされない場合は先行紙の搬送を完了させた後に電源をオフすることができる。
【０００８】
また、第２の発明に係る画像処理装置は、前記判断手段は、前記検知手段が検知した電源オフの指示が規定時間継続しなかった場合は、前記電源オフの指示がキャンセルされたと判断し、前記検知手段が検知した電源オフの指示が規定時間継続した場合は、前記電源オフの指示がキャンセルされていないと判断する、ことを特徴とする。
【０００９】
第２の発明によれば、電源オフの指示が規定時間継続されない場合は、電源オフがキャンセルされたと判断するため、間違って押されたときなどに電源オフせずに読み取りまたは出力を再開できることが期待される。
【００１０】
また、第３の発明に係る画像処理装置は、前記判断手段は、前記搬送手段が先行紙の搬送を完了させた後に、前記検知手段が電源オフの指示を検知しない場合は、前記電源オフの指示がキャンセルされたと判断し、前記搬送手段が先行紙の搬送を完了させた後に、前記検知手段が電源オフの指示を検知した場合は、前記電源オフの指示がキャンセルされていないと判断する、ことを特徴とする。
【００１１】
第３の発明によれば、先行紙の搬送を完了させた後に、電源オフの指示が検知された場合は、電源オフのキャンセルが指示されていないと判断するため、ユーザは搬送が完了したことを確認してから電源をオフすることができる。
【００１２】
また、第４の発明に係る画像処理装置は、前記制御手段は、前記検知手段が電源オフの指示を検知した際に、搬送停止対象となる後続紙がない場合は、先行紙の搬送を完了させた後に電源をオフする、ことを特徴とする。
【００１３】
第４の発明によれば、搬送停止対象となる後続紙がない場合は、電源をオフしてもジョブが途中で終了してしまう可能性が低く、かつ電源をオフしたいというユーザの意図を反映できる可能性が高くなる。
【００１４】
また、第５の発明に係る画像処理装置は、前記出力手段は、受信した画像データの紙への出力を行い、出力が未完了の画像データがある場合は、電源オフの指示がキャンセルされた際に、出力が未完了の画像データから再び出力する、ことを特徴とする。
【００１５】
第５の発明によれば、搬送再開時に、印刷が未完了の画像データから再び印刷するため、ジョブを完了させることができる。
【００１６】
また、第６の発明に係る画像処理装置は、前記出力手段は、紙の第１面と第２面の両面に対して画像データの出力を行い、かつ、先行紙の第１面に対して画像データを出力した状態で搬送を完了した後、電源オフの指示がキャンセルされた際は、先行紙の第１面に出力した画像データから出力する、ことを特徴とする。
【００１７】
第６の発明によれば、搬送再開時に、両面への出力が未完了であった場合に、両面への出力が未完了であった画像データを再度出力することにより、両面への出力を完了させることができる。
【発明の効果】
【００１８】
本発明によれば、一旦電源キー押下により紙の搬送を停止した後でも電源オフを取り消してジョブを再開することができる画像処理装置が実現される。
【図面の簡単な説明】
【００１９】
【図１】実施の形態にかかるＭＦＰの外観を示す斜視図である。
【図２】図１に示したＭＦＰのＡＤＦを開放した状態を示す斜視図である。
【図３】図１に示したＭＦＰの画像読取部の内部構成（図１のＡ−Ａ断面）を示す断面図である。
【図４】ＭＦＰの画像形成部の構成を示す断面図である。
【図５】実施の形態にかかるＭＦＰの電気的構成を示すブロック図である。
【図６】第１の実施形態におけるコピー処理の手順を示すフローチャートである。
【図７】第１の実施形態における出力処理の手順を示すフローチャートである。
【図８】第２の実施形態におけるコピー処理の手順を示すフローチャートである。
【図９】第２の実施形態における出力処理の手順を示すフローチャートである。
【発明を実施するための形態】
【００２０】
以下、本発明にかかる画像処理装置を具体化した実施の形態について、添付図面を参照しつつ詳細に説明する。本実施形態は、スキャン機能、プリント機能、およびＦＡＸ送受信機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００２１】
［ＭＦＰの構成］
本実施形態のＭＦＰ１００は、図１に示すように、用紙に画像を印刷する画像形成部５１（出力手段の一例）と、原稿の画像を読み取る画像読取部５２とを備えている。なお、画像形成部５１の画像形成方式は、電子写真方式であっても、インクジェット方式であってもよい。また、画像形成部５１は、カラー画像及びモノクロ画像の形成が可能であってもよいし、モノクロ画像のみの形成が可能であってもよい。さらに、画像読取部５２は、カラー画像及びモノクロ画像の読み取りが可能であってもよいし、モノクロ画像のみの読み取りが可能であってもよい。
【００２２】
また、ＭＦＰ１００は、その前面側に、各種のボタン（例えば、電源キー４３，上下左右キー，テンキーの各ボタン）によって構成されるボタン群４１、液晶ディスプレイからなる表示部４２を備えた操作パネル４０を備えている。ＭＦＰ１００では、このボタン群４１や表示部４２により、動作状況の表示やユーザによる操作の入力が可能になっている。
【００２３】
［画像読取部の構成］
続いて、画像読取部５２の構成について、図１、図２および図３を参照しつつ説明する。なお、図１および図２は、画像読取部５２の外観を示し、図３は画像読取部５２の内部構成を示している。
【００２４】
画像読取部５２は、画像の読み取りを行う本体部１０と、原稿の自動搬送を行う自動原稿供給装置（ＡＤＦ：Ａｕｔｏ  Ｄｏｃｕｍｅｎｔ  Ｆｅｅｄｅｒ）２０とを備えている。ＡＤＦ２０は、本体部１０の上方に位置するとともに一辺が本体部１０と接続し、本体部１０に対して回動自在に設けられている。そのため、ＡＤＦ２０は、本体部１０の上面を開閉することができる（図２参照）。また、ＡＤＦ２０は、本体部１０の上面を覆うカバーを兼ねている。
【００２５】
本体部１０は、その上面に、コンタクトガラス１１、１２を備えている。さらに、本体部１０の内部であってコンタクトガラス１１、１２の下方には、原稿の画像を読み取るイメージセンサ１５が設けられている。イメージセンサ１５は、主走査方向（用紙搬送方向に直交方向、図３の奥行き方向）に光学素子が一列に並んで配置されており、原稿からの反射光を電気信号に変換して出力する。イメージセンサ１５としては、例えば、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）が適用可能である。
【００２６】
イメージセンサ１５は、スライド軸１３に対してスライド自在に支持されている。このスライド軸１３は、副走査方向（図３中の左右方向）に延び、両端部が本体部１０の筐体に固定されている。そのため、イメージセンサ１５は、図３中の左右方向に移動可能に設けられている。
【００２７】
ＡＤＦ２０は、読み取り前の原稿を載置する原稿トレイ２１と、読み取り後の原稿を載置する排出トレイ２２とを備えている。具体的に、原稿トレイ２１は、排出トレイ２２の上方に配設されている。
【００２８】
また、ＡＤＦ２０の内部には、原稿が搬送される経路として、原稿トレイ２１と排出トレイ２２とを連結する略Ｕ字状の搬送路６０が設けられている。搬送路６０には、原稿搬送方向の上流側から、搬入ローラ６１、メインローラ６２、排出ローラ６３を含む各種搬送ローラ（搬送手段の一例）が設けられている。
【００２９】
また、ＡＤＦ２０は、その下面に開口部２３が設けられ、その開口部２３から原稿押さえ板２４が露出するように配置されている。この原稿押さえ板２４は、原稿搬送方向の、メインローラ６２よりも下流で排出ローラ６３よりも上流に位置し、ＡＤＦ２０を閉じた状態でコンタクトガラス１２と対向している。
【００３０】
ＡＤＦ２０は、原稿トレイ２１に載置された原稿を搬入ローラ６１によって１枚ずつ取り出し、その原稿をメインローラ６２に沿ってＵターンさせる。そして、その原稿を本体部１０のコンタクトガラス１２（以下、「ＡＤＦガラス１２」とする）に対向する位置に搬送する。具体的には、原稿を原稿押さえ板２４とコンタクトガラス１２との間を通過させる。その後、排出ローラ６３を介して、その原稿を排出トレイ２２上に排出する。
【００３１】
また、イメージセンサ１５を利用した原稿の読取方式としては、フラットベッド（原稿固定走査）方式と、ＡＤＦ（原稿移動走査）方式とがある。フラットベッド方式の場合、原稿を１枚ずつコンタクトガラス１１（以下、「ＦＢガラス１１」とする）上に載置する。その状態で、イメージセンサ１５が副走査方向（主走査方向に直交方向、図３の左右方向）に移動し、その際に主走査方向に１ラインずつ原稿の画像が読み取られる。一方、ＡＤＦ方式の場合、原稿を纏めて原稿トレイ２１に載置する。そして、イメージセンサ１５がＡＤＦガラス１２に対向する位置に移動し、固定される。その状態で、ＡＤＦ２０によって原稿が原稿押さえ板２４の下側であってＡＤＦガラス１２に対向する位置に搬送され、その際に主走査方向に１ラインずつ原稿の画像が読み取られる。
【００３２】
また、ＡＤＦ２０は、原稿搬送方向の、搬入ローラ６１よりも下流でメインローラ６２よりも上流に、原稿の画像を読み取るイメージセンサ２５およびそのイメージセンサ２５に対向する原稿押さえ板２６を備え、イメージセンサ２５と原稿押さえ板２６との間を原稿が通過するように配置される。イメージセンサ２５についても、本体部１０のイメージセンサ１５と同様に、ＣＩＳやＣＣＤが適用可能である。
【００３３】
イメージセンサ２５は、ＡＤＦ方式によってイメージセンサ１５に読み取られる面とは反対の面を読み取ることができる位置に配置される。そのため、本形態の画像読取部５２は、１回の原稿搬送で、本体部１０のイメージセンサ１５によって一方の面を、ＡＤＦ２０のイメージセンサ２５によって他方の面を、それぞれ読み取ることができる。つまり、１パスで両面読み取りを行うことが可能な構成になっている。
【００３４】
［画像形成部の構成］
続いて、画像形成部５１の構成について、図４を参照しつつ説明する。なお、図４は画像形成部５１の内部構成を示している。
【００３５】
画像形成部５１は、パーソナルコンピュータ（ＰＣ）等の情報端末装置から送られてくる画像データや画像読取部５２で読み取った原稿の画像データを基に画像を形成し、当該画像を用紙に印刷する。本実施形態の画像形成部５１は、周知の電子写真方式によって画像を形成するものであり、図４に示すように、画像を形成するプロセス部５０と、未定着のトナー像を定着させる定着装置８と、画像形成前の用紙を載置する給紙カセット９１と、画像形成後の用紙を載置する排紙トレイ９２とを備えている。
【００３６】
画像形成部５１内には、底部に位置する給紙カセット９１に収容された用紙が、給紙ローラ７３，プロセス部５０，定着装置８を通り、排紙ローラ７４を介して上部の排紙トレイ９２へ導かれるように、略Ｓ字形状の搬送経路７１が設けられている。すなわち、画像形成部５１は、給紙ローラ７３，排紙ローラ７４を含む各種搬送ローラ（搬送手段の一例）により給紙カセット９１に載置されている用紙を１枚ずつ取り出し、その用紙をプロセス部５０に搬送し、プロセス部５０にて形成されたトナー像をその用紙に転写する。さらに、トナー像が転写された用紙を定着装置８に搬送し、トナー像をその用紙に熱定着させる。そして、定着後の用紙を排紙トレイ９２に排出する。
【００３７】
プロセス部５０は、感光体１と、感光体１の表面を一様に帯電する帯電装置２と、感光体１の表面に光を照射して静電潜像を形成する露光装置３と、静電潜像に対してトナーによる現像を行う現像装置４と、感光体１上のトナー像を用紙に転写させる転写装置５とを有している。
【００３８】
プロセス部５０では、感光体１の表面が帯電装置２によって一様に帯電される。その後、露光装置３からの光により露光され、用紙に形成すべき画像の静電潜像が形成される。次いで、現像装置４を介して、トナーが感光体１に供給される。これにより、感光体１上の静電潜像は、トナー像として可視像化される。
【００３９】
さらに、画像形成部５１内には、用紙の両面に印刷を行うための両面印刷機構が備えられている。図４中の搬送路７２は、一方の面に印刷が行われた用紙の、他方の面にも印刷が行われるように、用紙を反転してプロセス部５０に再搬送するための搬送経路である。
【００４０】
画像形成部５１による両面印刷では、表面の搬送路（正搬送路）である搬送路７１を経由して表面に画像形成された用紙を排紙ローラ７４で停止させ、用紙の搬送方向を反転させる。そして、その用紙を排紙ローラ７４から再搬送路である搬送路７２に搬送し、プロセス部５０と給紙カセット９１との間の位置を通過させ、再度プロセス部５０まで導く。これにより、用紙の表裏が反転され、裏面に画像形成されることになる。
【００４１】
［ＭＦＰの電気的構成］
続いて、ＭＦＰ１００の電気的構成について説明する。ＭＦＰ１００は、図５に示すように、ＣＰＵ３１と、ＲＯＭ３２と、ＲＡＭ３３と、ＮＶＲＡＭ３４と、ＡＳＩＣ３５と、ネットワークインタフェース３６と、ＦＡＸインタフェース３８とを備えた制御装置３０を有している。
【００４２】
ＲＯＭ３２には、ＭＦＰ１００を制御するための各種制御プログラムや画像処理プログラム、各種設定、初期値等が記憶されている。ＲＡＭ３３は、各種制御プログラムが読み出される作業領域として、あるいは画像データを一時的に記憶する記憶領域として利用される。
【００４３】
ＡＳＩＣ３５は、画像形成部５１、画像読取部５２、操作パネル４０等と電気的に接続されている。例えば、ＡＳＩＣ３５は、画像読取部５２から画像データの信号を取得する。また、画像形成部５１へ所望の画像を作成するための信号を出力する。また、ボタン群４１に入力される各種ボタンの信号を受け付ける。また、表示部４２に表示する内容の信号を出力する。
【００４４】
ＣＰＵ３１は、ＲＯＭ３２から読み出した制御プログラムに従って、その処理結果をＲＡＭ３３またはＮＶＲＡＭ３４に記憶させながら、ＡＳＩＣ３５を介してＭＦＰ１００の各構成要素を制御する。また、ＣＰＵ３１は、例えば、ＲＯＭ３２から読み出した画像処理プログラムに従って、画像読取部５２から得られる画像データに画像処理を施す。
【００４５】
ネットワークインタフェース３６には、情報機器が接続され、このネットワークインタフェース３６を介して相互のデータ通信が可能になっている。また、ＦＡＸインタフェース３８は、電話回線に接続され、このＦＡＸインタフェース３８を介して外部のＦＡＸ装置等とデータ通信が可能になっている。
【００４６】
［ＭＦＰの制御］
続いて、ＭＦＰ１００の制御について説明する。画像データを出力するコピーモードを有する。このコピーモードは、読み取った原稿の画像データを出力する場合に好適である。
【００４７】
［コピー処理］
［第１の実施形態］
以下、第１の実施形態に関するコピー処理について、図６から図７のフローチャートを参照しつつ説明する。
【００４８】
第１の実施形態のコピー処理は、操作パネル４０の操作を介してコピー処理の実行指示が入力されると、ＣＰＵ３１によって実行が開始される。また、コピー処理の実行が開始されると、ＣＰＵ３１によって、図７に示した出力処理の実行も開始される。なお、第１の実施形態においては、原稿はＡＤＦ２０の原稿トレイ２１にセットされているものとして説明する。
【００４９】
また、第１の実施形態において、「紙」とは、表面の画像を読み取る「原稿」と、画像データを印刷する「用紙」の、両方を指す。また、前の原稿，前の用紙は先行紙（図中では前の紙）のことを表し、次の原稿，次の用紙は後続紙（図中では次の紙）のことを表す。
【００５０】
まず、図６のＳ１００にて全ての原稿が読取済みであるか否かがＣＰＵ３１によって判定される。全ての原稿が読取済みであると判定された場合は（Ｓ１００：Ｙｅｓ）、コピー処理を終了する。
【００５１】
一方、全ての原稿が読取済みでないと判定されたら（Ｓ１００：Ｎｏ）、Ｓ１０１にて画像読取部５２が原稿の読み取りを行う。このとき、原稿トレイ２１にセットされている原稿のうちの１枚が、搬入ローラ６１，排出ローラ６３を含む各種の搬送ローラ（搬送手段の一例）によって、排出トレイ２２まで搬送される。この搬送の過程で、イメージセンサ１５，イメージセンサ２５によって原稿の表面に形成された画像が読み取られる。
【００５２】
次に、Ｓ１０２にて、例えば電源キー４３の押下によりユーザから電源オフが指示されたかをＣＰＵ３１が検知する（検知手段の一例）。ただし、電源オフの指示を検知するのは、原稿の読み取り途中であっても検知できるものとする。
【００５３】
電源オフの指示を検知しない場合は（Ｓ１０２：Ｎｏ）、再びＳ１００に移行する。電源オフの指示を検知した場合は（Ｓ１０２：Ｙｅｓ）、Ｓ１０３にて搬送停止対象となる次の原稿があるかをＣＰＵ３１が判定する。ここで、搬送停止対象となる次の原稿がない場合とは、例えば、セットされた最後の原稿の搬送が開始され、残りの原稿がない場合である。
【００５４】
なお、原稿トレイ２１には、図３の左右方向における右端にセンサ（不図示）が取付けられており、紙の有無を検出できるものとする。最後の原稿が搬送路６０内へと搬送され始めると、原稿トレイ２１に取付けてあるセンサは紙を検出できなくなる。このとき、ＣＰＵ３１は搬送停止対象となる次の原稿がないと判定する。一方、センサが紙を検出した場合は、ＣＰＵ３１は搬送停止対象となる次の原稿があると判定する。
【００５５】
ただし、次の原稿とは、原稿トレイ２１からまだ搬送が開始されていない、新たに搬送される原稿のことである。一方、搬送が開始されている原稿は前の原稿とし、搬送路６０内に複数の原稿が存在している場合も、搬送が開始されている原稿は全て前の原稿とする。
【００５６】
搬送停止対象となる次の原稿がない場合は（Ｓ１０３：Ｎｏ）、既に原稿トレイ２１から搬送されている前の原稿が、排出トレイ２２に排出されているかを、Ｓ１０４にてＣＰＵ３１が判定する。
【００５７】
前の原稿が排出されていない場合は（Ｓ１０４：Ｎｏ）、再びＳ１０４に移行し、前の原稿が排出されたかを判定する。前の原稿が排出されている場合は（Ｓ１０４：Ｙｅｓ）、Ｓ１０９に移行する。Ｓ１０９では装置内の紙が排出されているかをＣＰＵ３１が判定する。ここで、装置内の紙が排出されていない場合とは、後述する出力処理において、搬送が開始された前の用紙が排出されていない場合である。
【００５８】
装置内の紙が排出されていない場合は（Ｓ１０９：Ｎｏ）、再びＳ１０９に移行する。装置内の紙が排出されている場合は（Ｓ１０９：Ｙｅｓ）、Ｓ１１０に移行する。
【００５９】
Ｓ１１０においてはＣＰＵ３１（制御手段の一例）が電源供給ユニット（不図示）に電源をオフする指示を出すことにより電源をオフし、コピー処理を終了する。
【００６０】
なお、ここでいう電源オフとは、ＭＦＰ１００の少なくとも一部に対する電源供給を遮断することを指す。例えば、画像形成部５１，画像読取部５２，ネットワークインタフェース３６，ＦＡＸインタフェース３８に対する電源供給を遮断し、制御部３０，操作パネル４０には電源を供給しておく。
【００６１】
これにより、搬送が開始された原稿については、読み取りを完了させ、排出してから電源がオフされる。なお、読み取りを終えた原稿の画像データは、電源をオフする前に削除してもよいし、ＮＶＲＡＭ３４に記憶してもよいし、ＰＣなどの外部装置に出力してもよい。
【００６２】
一方、Ｓ１０３にて搬送停止対象となる次の原稿があると判定された場合は（Ｓ１０３：Ｙｅｓ）、続くＳ１０５にて、搬入ローラ６１が次の原稿の搬送を停止する。
【００６３】
続くＳ１０６では、Ｓ１０２にて検知された電源オフの指示が規定時間以上検知されたかによって、電源オフの指示がキャンセルされたか否かをＣＰＵ３１が判断する（判断手段の一例）。例えば規定時間が２秒だったとする。このとき、例えば電源キー４３が１秒押された場合は電源オフの指示がキャンセルされたと判断し、３秒押された場合は電源オフの指示がキャンセルされていないと判断する。
【００６４】
Ｓ１０２にて検知された電源オフの指示が規定時間以上検知された場合は（Ｓ１０６：Ｙｅｓ）、ＣＰＵ３１は電源オフの指示がキャンセルされていないと判断し、Ｓ１０４に移行する。一方、Ｓ１０２にて検知された電源オフの指示が規定時間以上検知されない場合は（Ｓ１０６：Ｎｏ）、ＣＰＵ３１は電源オフの指示がキャンセルされたと判断し、Ｓ１０７に移行する。
【００６５】
Ｓ１０７では、搬入ローラ６１が次の原稿の搬送を再開し、再びＳ１００に移行する。
【００６６】
次に、図７を参照しつつ出力処理について説明する。出力処理はコピー処理の実行が開始されると、ＣＰＵ３１によって実行が開始される。これにより、読み取った画像データを順次出力していくことができる。なお、図６のＳ１０１にて読み取りを行った後に実行が開始されてもよい。
【００６７】
まず、Ｓ２００にて全ての画像データが用紙に印刷済みかどうかをＣＰＵ３１が判定する。Ｓ２００にて全ての画像データが用紙に印刷済みであると判定された場合は（Ｓ２００：Ｙｅｓ）、出力処理を終了する。
【００６８】
一方、全ての画像データが用紙に印刷済みでないと判定された場合は（Ｓ２００：Ｎｏ）、Ｓ２０１にて画像形成部５１が用紙への印刷を行う（出力手段の一例）。このとき、給紙ローラ７３により給紙カセット９１から用紙が搬送され、画像形成部５１により用紙への印刷が行われた後に、用紙は排紙ローラ７４により排紙トレイ９２に排出される。
【００６９】
続くＳ２０２にて、例えば電源キー４３の押下により電源オフが指示されたかをＣＰＵ３１が検知する。ただし、電源オフの指示を検知するのは、用紙への印刷途中であっても検知できるものとする。
【００７０】
電源オフの指示が検知されない場合は（Ｓ２０２：Ｎｏ）、再びＳ２００に移行する。電源オフの指示を検知した場合は（Ｓ２０２：Ｙｅｓ）、Ｓ２０３にて搬送停止対象となる次の用紙があるかをＣＰＵ３１が判定する。ここで、搬送停止対象となる次の用紙がない場合とは、例えば、最後の用紙の搬送を開始している場合が挙げられる。
【００７１】
ただし、次の用紙とは、給紙カセット９１からまだ搬送が開始されていない、新たに搬送される用紙のことである。一方、搬送が開始されている原稿は前の用紙とし、搬送路７２内に複数の用紙が存在している場合も、搬送が開始されている用紙は全て前の用紙とする。
【００７２】
なお、ＣＰＵ３１は、次に印刷する画像データがない場合には、新たに用紙を搬送する必要がないため、搬送停止対象となる次の用紙がないと判定する。一方、次に印刷する画像データがある場合には、新たに用紙を搬送する必要があるため、搬送停止対象となる次の用紙があると判定する。
【００７３】
搬送停止対象となる次の用紙がない場合は（Ｓ２０３：Ｎｏ）、既に給紙カセット９１から搬送されている前の用紙が、搬送ローラによって搬送される過程において、画像形成部５１により印刷され、排紙トレイ９２に排出されているかを、Ｓ２０４にてＣＰＵ３１が判定する。なお、両面印刷が行われている場合は、両面への印刷を終えてから排出するものとする。
【００７４】
前の用紙が排出されていない場合は（Ｓ２０４：Ｎｏ）、再びＳ２０４に移行し、前の用紙が排出されたかを判定する。前の用紙が排出されている場合は（Ｓ２０４：Ｙｅｓ）、Ｓ２０９に移行する。Ｓ２０９では、装置内の紙が排出されているかをＣＰＵ３１が判定する。装置内の紙が排出されていない場合とは、既述したコピー処理において搬送が開始された前の原稿が排出されていない場合である。
【００７５】
装置内の紙が排出されていない場合は（Ｓ１０９：Ｎｏ）、再びＳ２０９に移行する。装置内の紙が排出されている場合は（Ｓ２０９：Ｙｅｓ）、Ｓ２１０に移行して電源をオフし、出力処理を終了する。なお、Ｓ２１０の処理はＳ１１０の処理と同様である。
【００７６】
これにより、搬送が開始された用紙については、印刷を完了させ、排出してから電源がオフされる。ただし、印刷が未完了の画像データについては、削除してもよいし、ＮＶＲＡＭ３４に記憶してもよい。
【００７７】
一方、Ｓ２０３にて搬送停止対象となる次の用紙があると判定された場合は（Ｓ２０３：Ｙｅｓ）、Ｓ２０５にて給紙ローラ７３が次の用紙の搬送を停止する。
【００７８】
続くＳ２０６では、Ｓ２０２にて検知された電源オフの指示が規定時間以上検知されたかによって、電源オフの指示がキャンセルされたか否かをＣＰＵ３１が判断する。Ｓ２０６はＳ１０６の処理と同様である。
【００７９】
Ｓ２０２にて検知された電源オフの指示が規定時間以上検知された場合は（Ｓ２０６：Ｙｅｓ）、ＣＰＵ３１は電源オフの指示がキャンセルされていないと判断し、Ｓ２０４に移行する。電源オフの指示が規定時間以上検知されない場合は（Ｓ２０６：Ｎｏ）、ＣＰＵ３１は電源オフの指示がキャンセルされたと判断し、Ｓ２０７に移行する。
【００８０】
Ｓ２０７では、給紙ローラ７３が次の用紙の搬送を再開し、再びＳ２００に移行する。
【００８１】
以上記述したように、上記実施形態によれば、電源キー４３の押下により電源オフの指示を検知した場合に、後続紙の搬送を停止し、先行紙の搬送を完了させることができる。そして、電源オフの指示がキャンセルされない場合は電源をオフし、電源オフの指示がキャンセルされた場合は紙の搬送を再開することができる。
【００８２】
これにより、電源がオフされる前に電源オフを取り消してジョブを再開することができる。また、電源オフの指示を検知した場合に後続紙の搬送を停止しているので、紙が搬送路の途中に滞留してしまって、故障の原因となったり、紙の除去作業をユーザに行わせたりする必要もなく、利便性が向上する。
【００８３】
また、例えば、電源キー４３を規定時間押下することにより、電源をオフすることが確定してから紙の搬送を停止する場合に比べて、電源がオフされるまでの時間を短縮することができる。そのため、ユーザを待たせてしまう不便さが低減される。
【００８４】
また、上記第１の実施形態では、搬送停止対象となる後続紙がない場合は（Ｓ１０３：Ｎｏ，Ｓ２０３：Ｎｏ）、先行紙が排出済みであり（Ｓ１０４：Ｙｅｓ，Ｓ２０１：Ｙｅｓ）、さらに装置内の紙が排出済みである場合に（Ｓ１０９：Ｙｅｓ，Ｓ２０９：Ｙｅｓ）、電源をオフしている（Ｓ１１０，Ｓ２１０）。
【００８５】
搬送停止対象となる後続紙がない場合、つまりジョブの最後の紙が搬送され、排出されているような場合は、電源をオフしてもジョブが途中で終わってしまう不具合が生じる可能性が低い。
【００８６】
そのため、例えば電源キー４３を規定時間押下することにより電源オフの指示がキャンセルされていないと判断してから電源をオフする場合に比べて、早く電源をオフすることが期待できる。また、ユーザにとっても電源キー４３を規定時間以上押下する必要がなく、利便性が向上する。
【００８７】
なお、上記第１の実施形態では、出力として印刷の例を示した。しかしながら、出力は印刷に限らず、例えばＰＣなどの外部装置に読み取った画像を送信するなどしてもよい。
【００８８】
また、上記第１の実施形態では、読み取りの際に原稿がＡＤＦ２０にセットされているとした。しかしながら、原稿はＦＢガラス１１にセットされていてもよい。この場合、原稿が搬送されないので、Ｓ１０３から１０９の処理は行わない。電源オフの指示を検知した場合は（Ｓ１０２：Ｙｅｓ）、Ｓ１０９に移行し、装置内の紙が排出済みである場合は（Ｓ１０９：Ｙｅｓ）、電源をオフしてコピー処理を終了する。
【００８９】
また、上記第１の実施形態では、操作パネル４０を介した実行指示により、コピー処理が実行された。しかし、ＰＣなどの外部装置からの、画像データを含む印刷指示があった場合は、読み取りは必要なく、また読み取りの際に原稿も搬送されない。そのため、ＣＰＵ３１によって、コピー処理ではなく出力処理が実行される。
【００９０】
また、上記第１の実施形態では、Ｓ１０９，Ｓ２０９にてそれぞれ装置内の紙が排出されたか否かを判定し、排出済みである場合に電源をオフした（Ｓ１１０，Ｓ２１０）。これにより、コピー処理または出力処理のどちらか一方において、搬送が開始された紙が装置内にあるにも関わらず、残りの一方の処理からの指示により、電源がオフされてしまう可能性が低減される。
【００９１】
しかし、Ｓ１０９，Ｓ２０９の処理は行わなくてもよい。この場合は、Ｓ１１０における電源オフの指示とＳ２１０における電源オフの指示の、両方から電源オフの指示がされなければ電源をオフしないこととする。つまり前の原稿が排出されていて（Ｓ１０４：Ｙｅｓ）、かつ、前の用紙が排出されている（Ｓ２０４：Ｙｅｓ）場合に、電源をオフする。
【００９２】
また、Ｓ１１０における電源オフでは、画像読取部５２の電源供給を遮断し、Ｓ２１０における電源オフでは、画像形成部５１に対する電源供給を遮断するようにしてもよい。これにより、先に処理が終了したものから電源をオフすることができ、また、処理が終了していないにも関わらず電源がオフされてしまう不具合が起きる可能性も低くなる。
【００９３】
なお、このとき、画像読取部５２と画像形成部５１以外で電源供給を遮断する部分がある場合は、コピー処理と出力処理の実行に必要のないものについては、Ｓ１１０とＳ２１０のどちらで電源をオフしてもよいとする。ただし、早く電源オフできる方で電源をオフする方が好ましい。
【００９４】
また、上記第１の実施形態では、電源オフの指示がキャンセルされたかを、電源オフの指示が規定時間以上検知されるか否かで判断した（Ｓ１０６，Ｓ２０６）。しかし、電源オフの指示がキャンセルされたかの判断は、読み取りまたは印刷を完了した先行紙が排出された後に、電源オフの指示が検知されるか否かで判断してもよい。
【００９５】
この場合、例えば、先行紙が排出された後に、まだ電源キー４３が押されている場合は、電源オフの指示がキャンセルされていないと判断し、電源キー４３が押されていない場合は、電源オフの指示がキャンセルされたと判断する。また、先行紙の搬送が停止された後に、再度電源キー４３が押された場合は電源オフの指示がキャンセルされていないと判断し、再度電源キー４３が押されない場合は電源オフの指示がキャンセルされたと判断してもよい。
【００９６】
これにより、後続紙の搬送を停止し、先行紙の搬送を完了させることにより、装置の搬送が停止している状態のときに、ユーザから電源オフの指示がある場合には電源オフすることができる。これにより、ユーザには搬送が停止するまでの間に電源オフの指示をキャンセルするか決める時間が与えられる。つまり、搬送が停止することにより、間違って電源オフを指示したことに気付き、電源オフの指示をキャンセルする機会が得られる。また、搬送が止まっていることを確認してから電源をオフすることができる。
【００９７】
また、上記第１の実施形態では、出力処理において、搬送を開始した前の用紙については、印刷を完了させてから排出するようにしている。しかし、電源オフの指示を検知した場合に（Ｓ２０２：Ｙｅｓ）、印刷を途中で中断して用紙を排出してもよい。この場合は、電源オフの指示がキャンセルされた際に、再度印刷が途中で中断された画像データから印刷を開始する。
【００９８】
また、上記第１の実施形態では、両面印刷を行っている場合に、電源オフが検知されると、前の用紙に対しては両面印刷を行ってから排出した。しかし、片面への印刷を終えた状態で排出してもよい。これにより、搬送が停止し、電源をオフするまでの時間を短縮できる可能性が高まる。ただし、この場合は電源オフの指示がキャンセルされ（Ｓ２０６：Ｎｏ）、次の用紙の搬送を再開した後に、再度片面印刷の状態で終わった画像データから印刷を開始する。
【００９９】
例えば、両面印刷時に電源オフが検知され、４ページ目を表面に印刷した状態で排出されてしまったとする。このとき、電源オフの指示がキャンセルされると、次の用紙の表面に再度４ページ目を印刷し、裏面に３ページ目を印刷して排出する。これにより、両面印刷を完了させてコピー処理を終了することができる。
【０１００】
［第２の実施形態］
続いて、コピー処理の別実施形態について、図８から図９のフローチャートを参照しつつ説明する。本実施形態のコピー処理では、搬送停止対象となる次の原稿、または搬送停止対象となる次の用紙がない場合に、電源オフの指示がキャンセルされないときに電源をオフする。
【０１０１】
この点、電源オフの指示がキャンセルされるかどうかに関わらず電源をオフする第１の実施形態とは異なる。なお、第１の実施形態と同じ処理については、第１の実施形態と同じ符号を付し、説明を省略する。以下、第１の実施形態と異なる点について説明する。
【０１０２】
図８のＳ１０３にて、搬送停止対象となる次の原稿がない場合は（Ｓ１０３：Ｎｏ）、Ｓ１０６に移行する。そして、Ｓ１０２にて検知された電源オフの指示が規定時間以上検知されない場合は（Ｓ１０６：Ｎｏ）、Ｓ１２０に移行し、次の原稿の搬送が停止中かをＣＰＵ３１が判定する。
【０１０３】
Ｓ１２０にて次の原稿の搬送が停止されている場合は（Ｓ１２０：Ｙｅｓ）、Ｓ１０７に移行して次の原稿の搬送を再開して再びＳ１００に移行する。一方、次の原稿の搬送が停止されていない場合（Ｓ１２０：Ｎｏ）、つまり、搬送停止対象となる次の原稿がなかった場合は、そのまま再びＳ１００に移行する。
【０１０４】
そして、図９のＳ２０３にて、搬送停止対象となる次の用紙がない場合は（Ｓ２０３：Ｎｏ）、Ｓ２０６に移行する。そして、Ｓ２０２にて検知された電源オフの指示を規定時間以上検知しない場合は（Ｓ２０６：Ｎｏ）、Ｓ２２０に移行し、次の用紙の搬送が停止中かをＣＰＵ３１が判定する。
【０１０５】
Ｓ２２０にて次の用紙の搬送が停止されている場合は、Ｓ２０７に移行して次の用紙の搬送を再開して再びＳ２００に移行する。一方、次の用紙の搬送が停止されていない場合（Ｓ２２０：Ｎｏ）、つまり、搬送停止対象となる次の用紙がなかった場合は、そのまま再びＳ２００に移行する。
【０１０６】
以上記載したように、上記第２の実施形態によれば、搬送停止対象となる後続紙がないとき（Ｓ１０３：Ｎｏ，Ｓ２０３：Ｎｏ）、電源オフの指示がキャンセルされた場合は（Ｓ１０６：Ｎｏ，Ｓ２０６：Ｎｏ）、電源をオフしないことができる。これにより、間違って電源キー４３を押下してしまった場合は、電源オフの指示をキャンセルすれば、次のジョブの指示や操作を実行できる。
【０１０７】
なお、上記第２の実施形態においてＦＢガラス１１に原稿がセットされていた場合は、Ｓ１０３からＳ１０５，Ｓ１０７，Ｓ１２０の処理は行わない。電源オフの指示を検知した場合は（Ｓ１０２：Ｙｅｓ）、Ｓ１０６に移行する。電源オフが規定時間以上検知されない場合は（Ｓ１０６：Ｎｏ）、再びＳ１００に移行する。
【０１０８】
そして、電源オフが規定時間以上検知された場合は（Ｓ１０６：Ｙｅｓ）、Ｓ１０９に移行して装置内の紙が排出済みである場合に（Ｓ１０９：Ｙｅｓ）、Ｓ１１０に移行して電源をオフし、コピー処理を終了する。
【０１０９】
なお、本実施形態は単なる例示にすぎず、本発明を何ら限定するものではない。したがって本発明は当然に、その要旨を逸脱しない範囲内で種々の改良、変形が可能である。
【０１１０】
例えば、ＭＦＰに限らず、複写機等、画像読取機能を備えるものであれば適用可能である。
【０１１１】
また、上記実施形態では、１つのＣＰＵ３１がコピー処理と出力処理を全て実行したが本発明はこれに限られず、複数のＣＰＵや、専用回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などで実行してもよい。例えば、電源オフの指示検知，搬送停止，電源オフ指示のキャンセル判断，電源オフなどを別々のＣＰＵに実行させてもよい。
【符号の説明】
【０１１２】
３１    ＣＰＵ
３４    ＮＶＲＡＭ
４０    操作パネル
４３    電源キー
５１    画像形成部
５２    画像読取部
６１    搬入ローラ
６３    排出ローラ
７３    給紙ローラ
７４    排紙ローラ
１００  ＭＦＰ
【図１】
2013157840.tif 000003
【図２】
2013157840.tif 000004
【図３】
2013157840.tif 000005
【図４】
2013157840.tif 000006
【図５】
2013157840.tif 000007
【図６】
2013157840.tif 000008
【図７】
2013157840.tif 000009
【図８】
2013157840.tif 000010
【図９】
2013157840.tif 000011